(57)【要約】【課題】  文献では、ロッドの先端に設けた部材に受け座を形成し、受け座にロッドの球体の球状プラグ本体を挿入し、プラグ本体の縮径部に、半割りリングを被嵌した後、袋ナットを介して、受け座に挿設するとともに、球体のプラグ本体と、半割りリングとを、袋ナットの螺着により、受け座に旋回可能に固止する構造である。構造が複雑であり、作業、組付けに手間を要する。【解決手段】  ロッドの先端に設けたボールプラグの本体の連結開口に設けられる第一の球体、及び第一の本体、並びに繋部の第一の縮径首部を備えた第一のボールプラグと、第一のボールプラグの連結開口に設けられる第二の球体、及び第二の本体、並びにその繋部の第二の縮径首部を備えた第二のボールプラグと、第二のボールプラグの連結開口に設けられる第ｎの球体、及び第ｎの本体と、並びに繋部の第ｎの縮径首部を備えた第ｎのボールプラグと、で構成したボールマンドレルである。【選択図】      図１
2015096267.tif 000002
【特許請求の範囲】
【請求項１】
ロッドの先端に設けたボールプラグと、このボールプラグの本体の連結開口に設けられる玉継手を構成する第一の球体、及び第一の本体、並びにこの第一の球体と当該第一の本体との間の第一の縮径首部を備えた第一のボールプラグと、この第一のボールプラグの連結開口に設けられる第二の球体、及び第二の本体、並びにこの第二の球体と当該第二の本体との間の第二の縮径首部を備えた第二のボールプラグと、この第二のボールプラグの連結開口に設けられる第ｎの球体、及び第ｎの本体、並びにこの第ｎの球体と当該第ｎの本体との間の第ｎ縮径首部を備えた第ｎのボールプラグと、で構成したボールマンドレルにおいて、
前記連結開口は、開口口部と、この開口口部の奥面方向に形成されたハット形の受け座とで構成し、この開口口部にスナップリングを係止する環状溝を形成するとともに、この受け座に、前記球体を旋回自在、かつ奥面方向に可動自在に受け入れる構成とし、前記縮径首部は、前記第一〜第ｎのボールプラグの前記開口口部の面上に位置することを特徴としたボールマンドレル。
【請求項２】
前記スナップリングは、半割りリングであり、この半割りリングの両端の孔への工具の突起の係止と、この工具の操作で、半割りリングを縮径し、又は孔からの工具の突起の係脱と開放で、半割りリングが復帰（拡径）することを特徴とした請求項１に記載のボールマンドレル。
【請求項３】
前記ボールプラグの本体の連結開口に、前記第一のボールプラグの第一の球体を挿設し、この本体に第一のボールプラグを連繋するに際し、当該本体の連結開口に当該第一のボールプラグの第一の縮径首部に被嵌した前記第一の半割りリングを縮径した状態で挿設し、この第一のボールプラグの第一の球体を、前記第一のボールプラグの第一の受け座に挿設し、挿設後に、前記第一の環状溝に第一の半割りリングを拡径した状態で係止するとともに、前記受け座に、この第一のボールプラグの第一の球体を旋回自在、かつ奥面方向に可動自在に受け入れることを特徴とした請求項２に記載のボールマンドレル。
【請求項４】
前記第一の半割りリングが拡径し、前記第一の環状溝に係止された状態で、この第一の半割りリングが、前記第一の縮径首部より離れ、この第一の半割りリングの内径より小径の前記第一の球体の基端部に位置することで、この第一のボールリングが、脱離しなく、かつ旋回自在が確保されることを特徴とした請求項２に記載のボールマンドレル。
【請求項５】
前記球体の基端部の直径は、この球体の最大直径より、小径とする構成としたことを特徴とした請求項１に記載のボールマンドレル。
【発明の詳細な説明】
【技術分野】
【０００１】
本発明は、多数個の球体を繋いだボールマンドレルに関する。
【背景技術】
【０００２】
この種のボールマンドレルは、マンドレル本体の先端に設けた半割りロッドと、この半割りロッドの先端に設けた第一のボールプラグ〜第ｎのボールプラグと、で構成する。そのために、ロッドと、第一のボールプラグ〜第ｎのボールプラグを半割り形状とし、この半割りロッドに、半割り第一のボールプラグ〜第ｎのボールプラグを、順次、仮嵌合し、半割りロッド、半割り第一のボールプラグ〜第ｎのボールプラグを、複数の緊締リングにより、一体化する構造である。従って、製作に経験と手間を要するとともに、組付け一体化に関しても、経験と手間を要する。また、精度の均一化と、この精度確保の困難性等が考えられる。そこで、製作・組付け等において、経験と手間を要しない構造の提供と、精度の均一化と、精度確保が図れる構造の提供とが、望まれている。
【０００３】
この要望に、一部において、応えられる文献が、見当たる。この文献は、実開平６−４１９２１号公報に記載のボールマンドレルである。この考案は、「ロッドと、第一のボールプラグ〜第ｎのボールプラグに潤滑油供給路を設け、受け座と球体との間の摩擦防止を目的とする」ので、本発明とは、解決しようとする課題は相違する。但し、この考案と、本発明とは、半割りリング（割れ目付きリング）を介して、ロッドと、第一のボールプラグ〜第ｎのボールプラグとを連繋する構造において、類似点があるので、以下、説明する。
【０００４】
文献（１）の説明では、ロッド（半割りロッド以外は、ロッドとする）の先端に設けた部材に受け座を形成し、この受け座にロッドの球体の球状プラグ本体を挿入し、このプラグ本体の縮径部に、半割りリングを被嵌した後、袋ナットを介して、この受け座に挿設するとともに、球体のプラグ本体と、半割りリングとを、袋ナットの螺着により、当該受け座に旋回可能に固止する。また、このロッドの球体に連設した軸に設けた受け座に、第一のボールプラグ〜第ｎのボールプラグ（半割り第一のボールプラグ〜半割り第ｎのボールプラグ以外は、第一のボールプラグ〜第ｎのボールプラグとする）の球体の球状プラグ本体を挿入し、このプラグ本体の縮径部に、半割りリングを被嵌した後、当該プラグ本体を介して、この受け座に挿設するとともに、球体のプラグ本体と、半割りリングとを、プラグ本体の螺着により、当該受け座に旋回可能に固止する構造となっている。
【０００５】
従って、半割りリングは、袋ナットかプラグ本体の螺着を介して、取付けられるとともに、ロッドと、第一のボールプラグ〜第ｎのボールプラグとを連繋、かつ旋回可能に支持する構造であり、構造と取付け作業が複雑化すること、作業・保守管理が困難視されること、又はプラグ本体（受け座本体）に対して、面倒な加工を要すること、等の改良点がある。
【０００６】
【特許文献１】実開平６−４１９２１号公報
【発明の概要】
【発明が解決しようとする課題】
【０００７】
上記に鑑み、本発明は、半割りリングを利用することで、従来の半割りロッド、半割り第一のボールプラグ〜半割り第ｎのボールプラグによる種々の問題点を解消することと、文献（１）が抱える問題点の解消を図ること、等を意図し、請求項１〜５の構成を提案する。
【課題を解決するための手段】
【０００８】
本発明の意図を達成する請求項１〜５の要旨は、下記のようになる。
【０００９】
請求項１は、ロッドの先端に設けたボールプラグの本体の連結開口に設けられる第一の球体（玉継手を構成する）、及び第一の本体（受け座本体）、並びにその繋部の第一の縮径首部を備えた第一のボールプラグと、第一のボールプラグの連結開口に設けられる第二の球体、及び第二の本体、並びに繋部の第二の縮径首部を備えた第二のボールプラグと、第二のボールプラグの連結開口に設けられる第ｎの球体、及び第ｎの本体と、並びに繋部の第ｎの縮径首部を備えた第ｎのボールプラグと、で構成したボールマンドレルにおいて、
連結開口は、開口口部と、開口口部の奥面方向に形成されたハット形の受け座とで構成し、開口口部にスナップリングを係止する環状溝を形成し、また、受け座に、球体を旋回自在、かつ奥面方向に可動自在に受け入れる構成とし、縮径首部は、第一〜第ｎのボールプラグの開口口部の面上に位置するボールマンドレルである。
【００１０】
請求項２は、スナップリングは、半割りリング（半割り式のリング）とし、半割りリングを縮径し、又は半割りリングが復帰（拡径）する請求項１に記載のボールマンドレルである。
【００１１】
請求項３は、ボールプラグの本体の連結開口に、第一のボールプラグの第一の球体を挿設し、本体に第一のボールプラグを連繋するに際し、本体の連結開口に第一のボールプラグの第一の縮径首部に被嵌した第一の半割りリングを縮径して挿設し、第一のボールプラグの第一の球体を、第一のボールプラグの第一の受け座に挿設し、挿設後に、第一の環状溝に第一の半割りリングを拡径した状態で係止するとともに、受け座に、第一のボールプラグの第一の球体を旋回自在、かつ奥面方向に可動自在に受け入れる請求項２に記載のボールマンドレルである。
【００１２】
請求項４は、第一の半割りリングが拡径し、第一の環状溝に係止して、第一の半割りリングが、第一の縮径首部より離れ、第一の半割りリングの内径より小径の第一の球体の基端部に位置することで、第一のボールリングが、脱離せず、かつ旋回自在が確保される請求項２に記載のボールマンドレルである。
【００１３】
請求項５は、球体の基端部の直径は、球体の最大直径より、小径とする構成とした請求項１に記載のボールマンドレルである。
【発明の効果】
【００１４】
請求項１の発明は、ロッドの先端に設けたボールプラグと、ボールプラグの本体の連結開口に設けられる玉継手を構成する第一の球体、及び第一の本体（受け座本体）、並びに第一の球体と第一の本体との間の第一の縮径首部を備えた第一のボールプラグと、第一のボールプラグの連結開口に設けられる第二の球体、及び第二の本体、並びに第二の球体と第二の本体との間の第二の縮径首部を備えた第二のボールプラグと、第二のボールプラグの連結開口に設けられる第ｎの球体、及び第ｎの本体、並びに第ｎの球体と第ｎの本体との間の第ｎの縮径首部を備えた第ｎのボールプラグと、で構成したボールマンドレルにおいて、
連結開口は、開口口部と、開口口部の奥面方向に形成されたハット形の受け座とで構成し、開口口部にスナップリングを係止する環状溝を形成するとともに、受け座に、球体を旋回自在、かつ奥面方向に可動自在に受け入れる構成とし、縮径首部は、第一〜第ｎのボールプラグの開口口部の面上に位置することを特徴としたボールマンドレルである。
【００１５】
従って、請求項１は、従来の半割りロッドと、半割り第一のボールプラグ〜第ｎのボールプラグとの組合せによる弊害解消とともに、ロッドと、第一のボールプラグ〜第ｎのボールプラグとの組合せによる、構造と取付け作業の簡略化が図れることと、作業・保守管理の容易化が図れること、等の特徴がある。そして、また、本体に対して、面倒な加工をなくし、かつこの構造と取付け作業の簡略化が図れることと、作業・保守管理の容易化が図れること、等の実用的な特徴がある。
【００１６】
請求項２の発明は、スナップリングは、半割りリングであり、半割りリングの両端の孔への工具の突起の係止と、工具の操作で、半割りリングを縮径し、又は孔からの工具の突起の係脱と開放で、半割りリングが復帰（拡径）することを特徴とした請求項１に記載のボールマンドレルである。
【００１７】
従って、請求項２は、請求項１の特徴を達成するに大切な、スナップリングの構造を特定し、かつ提供を図ることで、実用に供し得る。
【００１８】
請求項３の発明は、ボールプラグの本体の連結開口に、第一のボールプラグの第一の球体を挿設し、本体に第一のボールプラグを連繋するに際し、本体の連結開口に第一のボールプラグの第一の縮径首部に被嵌した第一の半割りリングを縮径した状態で挿設し、第一のボールプラグの第一の球体を、第一のボールプラグの第一の受け座に挿設し、挿設後に、第一の環状溝に第一の半割りリングを拡径した状態で係止するとともに、受け座に、第一のボールプラグの第一の球体を旋回自在、かつ奥面方向に可動自在に受け入れることを特徴とした請求項２に記載のボールマンドレルである。
【００１９】
従って、請求項３は、請求項１の特徴を達成するに大切な、ボールプラグと、第一のボールプラグ〜第ｎのボールプラグの構造を特定し、かつ提供を図ることで、実用に供し得る。
【００２０】
請求項４の発明は、第一の半割りリングが拡径し、第一の環状溝に係止された状態で、第一の半割りリングが、第一の縮径首部より離れ、第一の半割りリングの内径より小径の第一の球体の基端部に位置することで、第一のボールリングが、脱離しなく、かつ旋回自在が確保されることを特徴とした請求項２に記載のボールマンドレルである。
【００２１】
従って、請求項４は、請求項２の特徴を達成するに大切な、第一の半割りリング〜第ｎの半割りリングの構造を特定し、かつ提供を図ることで、実用に供し得る。
【００２２】
請求項５の発明は、球体の基端部の直径は、球体の最大直径より、小径とする構成としたことを特徴とした請求項１に記載のボールマンドレルである。
【００２３】
従って、請求項５は、請求項１の特徴を達成するに大切な、第一の球体〜第ｎの球体の構造を特定し、かつ提供を図ることで、実用に供し得る。
【図面の簡単な説明】
【００２４】
【図１】ボールマンドレルの要部を分解した俯瞰斜視図
【図２−１】玉継手を構成する第一の球体、及び第一の本体（受け座本体）、並びに第一の縮径首部を備えた第一のボールプラグと、第二のボールプラグの第二の縮径首部に被嵌した半割りリングとの関係を示した俯瞰斜視図
【図２−２】第一のボールプラグの開口口部から、このボールプラグの受け座に、第二の球体、及び第二の本体、並びに半割りリングを被嵌した第二の縮径首部を備えた第二のボールプラグを、挿設する状態を示した俯瞰斜視図
【図２−３】第一のボールプラグの受け座に、第二の球体、及び第二の本体、並びに半割りリングを被嵌した第二の縮径首部を備えた第二のボールプラグを、挿設し、この半割りリングを、工具により縮径し、第一のボールプラグの環状溝に、半割りリングを嵌合する状態を示した俯瞰斜視図
【図３】第一のボールプラグの受け座に、第二の球体、及び第二の本体、並びに第二の縮径首部の半割りリングを被嵌し、第二のボールプラグを、組付けた状態を示した俯瞰斜視図
【図４−１】ロッドの一部欠截の仮想斜視図と、第一のボールプラグの一部欠截を示した概念図
【図４−２】図４−１のロッドの断面図
【図５−１】第一のボールプラグと、第二のボールプラグとの連結関係の一例を示した断面図
【図５−２】第一のボールプラグと、第二のボールプラグとの連結関係の他の一例を示した断面図
【発明を実施するための形態】
【００２５】
図中マンドレルＡのロッドＢの自由端（加工時の進行方向の自由端）には、ボールプラグ１が螺着されている。このボールプラグ１の自由端には、第一のボールプラグ１０を受入れる開口口部２と、ハット形の受け座３とでなる略半截ボール形状の収容室５を刳り貫き形成する。６はロッドＢの軸方向の中心に設けた螺孔であり、この螺孔６にマンドレルＡの螺子部を螺着し、このロッドＢは、マンドレルＡに固定される。また、開口口部２の内方（収容室５の上方開口内部）に、環状溝７を、刳り貫き形成する。
【００２６】
この第一のボールプラグ１０は、嵌合側に玉継手を構成する第一の球体１１（球体に類似する形状、例えば、卵形等を含む）と、これに連なる第一の本体１２（受け座本体）と、この第一の球体１１と第一の本体１２との間（繋がり部）にある第一の縮径首部１３とで構成する。また、この第一の本体１２には、次の第二のボールプラグ２０を受入れる第一の開口口部１４と、ハット形の第一の受け座１５とでなる略半截ボール形状の第一の収容室１６を、刳り貫き形成する。また、第一の開口口部１４の内方（第一の収容室１６の上方開口内部）に、第一の環状溝１７を、刳り貫き形成する。図中１８は第一のボールプラグ１０に設けた固定、又は取付用の螺孔、又は孔と、１９は第一のボールプラグ１０に設けた緊締用の螺孔１９、又は孔である。後述するように、固定、又は取付用の螺孔１８に、螺入した螺子１８ａ、又はプランジャ１８ｂ、或いはスプリング（図示せず）で，ボールプラグ１に、第一のボールプラグ１０を、固定、又は緊締状態で連繋するとともに、他方の螺子１９ａで，螺子１８ａ等を固定、又は緊締する構造である。
【００２７】
尚、第二のボールプラグ２０〜第ｎのボールプラグｎは、前記第一のボールプラグ１０の構造に準ずるので、原則として、同じ番号と名称を使用する。但し、最終の第ｎのボールプラグｎは、受入れる第一の開口口部１４と、第一の受け座１５とでなる略半截ボール形状の第一の収容室１６等は、なく、無垢の構造である。
【００２８】
前述の構造において、図５−１と、図５−２は第一のボールプラグ１０と、第二のボールプラグ２０との連繋（連結）関係の各一例を示した断面図であり、第一のボールプラグ１０の収容室５に、第二のボールプラグ２０を、軸方向Ｘへの移動を無くすように連携する構造であり（ボールプラグ１と第一のボールプラグ１０の関係も同じ）、かつ固定手段であり、前記固定、又は取付用の螺孔、又は孔１８、緊締用の螺孔、又は孔１９と、螺子（プランジャ）１８ａと、螺子１９ａで構成する。即ち、螺孔、又は孔１８に螺子１８ａを螺入し、この螺子１８ａの先端と、半割りリング８と第二の縮径首部の外周面との圧接とにより、第二のボールプラグ２０の第二の球体を、第一のボールプラグ１０の第一の収容室１６に固定する。同様に図５−２では、螺子（プランジャ）１８ａの先端と、半割りリング８と第二の縮径首部の外周面との圧接とにより、図５−１と同様に固定する。この固定で、第一のボールプラグ１０〜第ｎのボールプラグｎのスムースな曲りと、曲り長さ等を確保する。
【００２９】
そして、このロッドＢの開口口部２と、ハット形の受け座３とでなる略半截ボール形状の収容室５に、第一のボールプラグ１０を挿設し、かつこの両者を連結する構造である。そこで、図２−１〜図３をもとに説明する。ボールプラグ１の開口口部２から、その受け座３に向かって、半割りリング８を被嵌した第一の縮径首部１３を備えた第一のボールプラグ１０の第一の球体１１を、順次、挿設していく。そして、収容室５に至った段階で、半割りリング８を、例えば、工具で縮径し、環状溝７に至ったならば、この縮径を解除することで、半割りリング８が、環状溝７に嵌合係止される。このように嵌合係止されると、半割りリング８が、ボールプラグ１に固止される。従って、半割りリング８より大径の外周面を備えた、第一のボールプラグ１０の第一の球体１１が外れることはない。収容室５の内径に対して、第一の球体１１の外径は、やや小さく形成されていることから、旋回自在に設けられる。また、収容室５と、第一の球体１１とは、第一のボールプラグ１０の螺孔１８に、螺入した螺子１８ａ、又はプランジャ１８ｂ、或いはスプリング（図示せず）で，ボールプラグ１に、第一のボールプラグ１０を、固定、又は緊締状態で連繋する。この固定を介して、第一のボールプラグ１０の摺設（旋回）の動作が保証されるとともに、加工時のパイプのスムースな曲りと、曲り時の肉の歪、肉厚の不均、皺の発生等の解消に役立ち、有益で効率的な曲りを確保できる。さらに、収容室５と、第一の球体１１との摩擦解消と損傷回避等に有益と考えられる。尚、第一の縮径首部１３は、第一〜第ｎのボールプラグ１０〜ｎの第一の開口口部１４の、径方向Ｙの面１４００上に位置する構造であり、この第一〜第ｎのボールプラグ１０〜ｎの旋回自在に、ボールマンドレルの曲り、及び／又は、曲り角度に、自由性と拡がり等を確保できる。
【００３０】
尚、図示しないが、第一のボールプラグ１０〜第ｎのボールプラグｎとの関連関係（構造と作用等の関係）も、前記ボールプラグ１と第一のボールプラグ１０との関連関係に準ずる。
【００３１】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。また、第一のボールプラグ１０〜第ｎのボールプラグｎは、識別するために、第一〜第ｎとするものであり、この言葉に、拘束、又は限定されない。
【符号の説明】
【００３２】
Ａ            マンドレル
Ｂ            ロッド
１            ボールプラグ
２            開口口部
３            受け座
５            収容室
６            螺孔
７            環状溝
８            半割りリング
１０          第一のボールプラグ
１１          第一の球体
１２          第一の本体
１３          第一の縮径首部
１４          第一の開口口部
１４００      面
１５          第一の受け座
１６          第一の収容室
１７          第一の環状溝
１８          螺孔、又は孔
１８ａ        螺子
１９          螺孔、又は孔
１９ａ        螺子
２０〜ｎ      第二のボールプラグ〜第ｎのボールプラグ
Ｘ            軸方向
Ｙ            径方向
Ｓ            クリアランス
【図１】
2015096267.tif 000003
【図２−１】
2015096267.tif 000004
【図２−２】
2015096267.tif 000005
【図２−３】
2015096267.tif 000006
【図３】
2015096267.tif 000007
【図４−１】
2015096267.tif 000008
【図４−２】
2015096267.tif 000009
【図５−１】
2015096267.tif 000010
【図５−２】
2015096267.tif 000011